(57)【要約】【課題】  釣竿全体の長さを調整しつつ、そのズーム長さの自由度を高めるための竿体同士の連結構造を提供する。  【解決手段】    この釣竿は、元竿１と、元竿１内に穂先側に向かって出入自在に連結される元上竿２とを有している。この元上竿２は、その竿元側端部が元竿１の竿元側端部に至る状態で元竿１内に収納固定される収納状態と、その竿元側端部が元竿１の軸方向中央付近に至る状態で元竿１内に収納固定される延伸状態とをとり得る。【選択図】  図２
2004173682.tif 000002
【特許請求の範囲】
【請求項１】
筒状体である複数の竿体を順次連結してなる釣竿であって、
元竿と、
前記元竿内に穂先側に向かって出入自在に連結され、その竿元側端部が前記元竿の竿元側端部に至る状態で前記元竿内に収納固定される第１収納位置と、その竿元側端部が前記元竿の軸方向中央付近に至る状態で前記元竿内に収納固定される第２収納位置との間で、前記元竿内を軸方向に移動可能な元上竿と、
を備える釣竿。
【請求項２】
前記元竿は、軸方向中央付近の内周面に第１嵌合雌部を有すると共に、竿元側端部の内周面に第２嵌合雌部を有し、
前記元上竿は、前記元竿内に穂先側に向かって出入自在に連結され、竿元側端部外周面に形成される嵌合雄部を有している、請求項１に記載の釣竿。
【請求項３】
前記元竿は、穂先側端部の内周面に第１嵌合雌部を有すると共に、竿元側端部の内周面に第２嵌合雌部を有し、
前記元上竿は、前記元竿内に穂先側に向かって出入自在に連結され、軸方向中央付近の外周面に第１嵌合雄部を有すると共に、竿元側端部外周面に形成される第２嵌合雄部を有している、請求項１に記載の釣竿。
【請求項４】
大径竿体と、前記大径竿体の穂先側に出し入れ自在に連結された小径竿体との連結構造であって、
前記大径竿体は、穂先側端部の内周面に形成された第１嵌合雌部と、竿元側端部の内部に配置される嵌合リングと、前記第１嵌合雌部と嵌合リングとの間の内周面に形成された第２嵌合雌部とを有し、
前記小径竿体は、竿元側端部外周面に形成される第１嵌合雄部と、前記第１嵌合雄部の穂先側の外周面に形成された第２嵌合雄部と、前記第２嵌合雄部の穂先側の外周面に形成された第３嵌合雄部とを有し、
前記小径竿体は、前記大径竿体の穂先側に穂先側の一部が引き出された延伸状態と前記大径竿体の内部に竿元側の一部が収納された収納状態との何れの状態においても、前記大径竿体に連結固定可能であり、
前記延伸状態においては、前記第２嵌合雄部が前記前記第１嵌合雌部に嵌着すると共に、前記第１嵌合雄部が前記第２嵌合雌部に嵌着し、
前記収納状態においては、前記第３嵌合雄部が前記第１嵌合雌部に嵌着すると共に、前記第１嵌合雄部が前記嵌合リングに嵌着する、竿体の連結構造。
【請求項５】
前記大径竿体は、穂先側端部から竿元側に延びる竿元側ほど大径化する第１テーパ部分と、前記第１テーパ部分の竿元側に連続して前記第１テーパ部分より急テーパで竿元側ほど大径化する第２テーパ部分と、前記第２テーパ部分の竿元側に連続して前記第２テーパ部分より緩やかなテーパで竿元側ほど大径化する第３テーパ部分とを有し、
前記第２嵌合雌部は前記第２テーパ部分の内周面である、請求項４に記載の竿体の連結構造。
【請求項６】
前記大径竿体は、穂先側端部から竿元側に延びる竿元側ほど大径化する第１テーパ部分と、前記第１テーパ部分の竿元側に連続して前記第１テーパ部分より緩やかなテーパで竿元側ほど大径化する第２テーパ部分とを有し、
前記第１嵌合雌部は前記第１テーパ部分の内周面である、請求項４に記載の竿体の連結構造。
【請求項７】
前記大径竿体の嵌合リングは前記大径竿体の管状体に対して脱着自在である、請求項５または６に記載の竿体の連結構造。
【発明の詳細な説明】
【技術分野】
【０００１】
本発明は、振出形式で連結される竿体を相互に連結する際の連結構造に関する。詳しくは、特定の竿体同士を収納状態，延伸状態の何れにおいても相互に連結固定可能とし、竿全体の長さを変化させて釣りを行えるように工夫した釣竿に応用されるべき連結構造に関するものである。
【背景技術】
【０００２】
振出形式と呼ばれるタイプの釣竿は、複数の筒状の竿体が穂先側の竿体から順次竿元側の竿体内に挿入可能になっている。釣りを行う際には各竿体を順次穂先側に引き出して嵌合固定して一本の竿体として用いる。一方、収納時には穂先側の竿体を順次竿元側の竿体内に収納してコンパクトな状態とする。
【０００３】
このような従来の振出形式の釣竿には、竿全体の長さを変化させて釣りを行えるように工夫したものがある。このように工夫された釣竿は、例えば、最も竿元側に位置する元竿とその穂先側に連結される元上竿とに関して以下のような者となっている。
【０００４】
即ち、この釣竿は、穂先側端部内周面に嵌合雌部を有する元竿と、竿元側端部外周面に第１嵌合雄部を有しつつ長手方向中央付近の外周面に第２嵌合雄部を有する元上竿とを有する。そして、この釣竿では、元竿の穂先側に連結される元上竿が穂先側に引き出された状態（以下「延伸状態」という）では、嵌合雌部を第１嵌合雄部と嵌着させ、元上竿が元竿内に挿入された状態（以下「収納状態」という）では、嵌合雌部を第２嵌合雄部と嵌着させることができる（特許文献１参照）。こうして、元竿と元上竿とは「延伸状態」，「収納状態」のいずれの状態においても互いに嵌合固定可能であり、状況に応じて釣竿全体の長さを変化させて釣りを行うことができる。
【特許文献１】特開２０００−２６２１８９号公報（第１〜第２欄，図１，図２）
【発明の開示】
【発明が解決しようとする課題】
【０００５】
上述の釣竿全体の長さを調整可能な釣竿においては、以下のような問題がある。
【０００６】
上述の釣竿全体の長さを調整可能な釣竿では、元竿内に収納される元上竿の軸方向長さが、「延伸状態」と「収納状態」との長さの差（以下、「ズーム長さ」という）となって顕れる。つまり、元竿の軸方向長さがズーム長さを規定することになってしまう。何故なら、元竿には、その穂先側の周面にリールを脱着自在に装着するためのリールシートを配置し、竿元側端部に釣人が把持するためのグリップ部分等を設ける。また、リールシートの竿元側を釣人が脇に挟んでリール操作等を行う場合もある。従って、元竿の軸方向長さはある程度の長さに制限される（例えば、６０ｃｍ程度の長さが必要となる）。このように元竿の軸方向長さが規定されると、これに従ってズーム長さも規定されてしまうのである（例えば、上述の例では、ズーム長さが６０ｃｍ程度となってしまう）。
【０００７】
しかし、釣竿の種類によってはあまり長いズーム長さを有すると、釣竿の操作性能上好ましくない結果が生じる恐れがある。例えば、あまりズーム長さが長いと、延伸状態と収納状態との間で使用に際して竿の調子が大きく変化してしまう恐れがある。また、船の上で利用する船竿などにあっては、ズーム長さが長すぎると、延伸状態・収納状態間の状態操作性に劣る。即ち、船竿のように、釣竿の全長が比較的短い釣竿（例えば、船竿は釣竿全長が２０００〜４０００ｍｍ程度である）にあっては、５０〜６０ｃｍ程度も「ズーム長さ」を設定すると操作性を損なう恐れがある。
【０００８】
従って、ズーム長さの設計の自由度を大きくする必要性がある。
【０００９】
本発明の課題は、釣竿全体の長さを調整しつつ、そのズーム長さの自由度を高めるための竿体同士の連結構造を提供することにある。  
【課題を解決するための手段】
【００１０】
本発明の釣竿は、筒状体である複数の竿体を順次連結してなる釣竿であって、元竿と、元竿内に穂先側に向かって出入自在に連結され、その竿元側端部が元竿の竿元側端部に至る状態で元竿内に収納固定される第１収納位置と、その竿元側端部が元竿の軸方向中央付近に至る状態で元竿内に収納固定される第２収納位置との間で、元竿内を軸方向に移動可能な元上竿とを備えている。
【００１１】
この釣竿では、元上竿を元竿内に完全に収納して固定した第１収納位置において収納状態とし、元上竿を元竿内から穂先側に引き出して固定した第２収納位置において延伸状態とする。延伸状態である第２収納位置は、元上竿の竿元側端部が元竿の軸方向中央付近に配置される位置であり、「ズーム長さ」は元竿の長さに制限されない。
【００１２】
また、別の本発明の釣竿においては、その元竿は、軸方向中央付近の内周面に第１嵌合雌部を有すると共に、竿元側端部の内周面に第２嵌合雌部を有する。元上竿は、元竿内に穂先側に向かって出入自在に連結され、竿元側端部外周面に形成される嵌合雄部を有している。
【００１３】
この釣竿では、元上竿が元竿の穂先側に引き出された延伸状態と、元上竿が元竿の内部に収納された収納状態とにおいて、この元上竿と元竿とは相互に連結固定可能であり、各状態における具体的態様は以下の通りである。
【００１４】
延伸状態においては、元竿の第１嵌合雌部と元上竿の嵌合雄部が相互に嵌着する。これらの嵌合部分が元上竿の元竿に対する抜け止めとなっているとともに、相互の竿体を連結固定する。一方、収納状態においては、元竿の第２嵌合雌部と元上竿の嵌合雄部が相互に嵌着する。そして、相互の竿体が連結固定される。
【００１５】
さらに別の本発明の釣竿においては、元竿は、穂先側端部の内周面に第１嵌合雌部を有すると共に、竿元側端部の内周面に第２嵌合雌部を有している。元上竿は、元竿内に穂先側に向かって出入自在に連結され、軸方向中央付近の外周面に第１嵌合雄部を有すると共に、竿元側端部外周面に形成される第２嵌合雄部を有している。
【００１６】
この釣竿では、元上竿が元竿の穂先側に引き出された延伸状態と、元上竿が元竿の内部に収納された収納状態とにおいて、この元上竿と元竿とは相互に連結固定可能であり、各状態における具体的態様は以下の通りである。
【００１７】
延伸状態においては、元竿の第１嵌合雌部と元上竿の第１嵌合雄部が相互に嵌着する。これらの嵌合部分が元上竿の元竿に対する抜け止めとなっているとともに、相互の竿体を連結固定する。一方、収納状態においては、元竿の第２嵌合雌部と元上竿の第２嵌合雄部が相互に嵌着する。そして、相互の竿体が連結固定される。
【００１８】
また、本発明の構造は、大径竿体と大径竿体の穂先側に出し入れ自在に連結された小径竿体との連結構造である。大径竿体は、穂先側端部の内周面に形成された第１嵌合雌部と、竿元側端部の内部に配置される嵌合リングと、第１嵌合雌部と嵌合リングとの間の内周面に形成された第２嵌合雌部とを有する。また、小径竿体は、竿元側端部外周面に形成される第１嵌合雄部と、第１嵌合雄部の穂先側の外周面に形成された第２嵌合雄部と、第２嵌合雄部の穂先側の外周面に形成された第３嵌合雄部とを有する。この小径竿体は、大径竿体の穂先側に穂先側の一部が引き出された延伸状態と大径竿体の内部に竿元側の一部が収納された収納状態との何れの状態においても、大径竿体に連結固定可能である。そして、延伸状態においては、第２嵌合雄部が前記第１嵌合雌部に嵌着すると共に、第１嵌合雄部が第２嵌合雌部に嵌着する。他方、収納状態においては、第３嵌合雄部が第１嵌合雌部に嵌着すると共に、第１嵌合雄部が前記嵌合リングに嵌着する。
【００１９】
このような大径竿体と小径竿体とを振出形式に連結し、それぞれの竿体の個々の嵌合雄部若しくは嵌合雌部の間の軸方向距離を調整することで、ズーム長さを任意に設定し、その設計の自由度が高まる。
【００２０】
このような大径竿体としては、穂先側端部から竿元側に延びる竿元側ほど大径化する第１テーパ部分と、第１テーパ部分の竿元側に連続して第１テーパ部分より急テーパで竿元側ほど大径化する第２テーパ部分と、第２テーパ部分の竿元側に連続して第２テーパ部分より緩やかなテーパで竿元側ほど大径化する第３テーパ部分とを有するものを用いてもよい。そして、第２嵌合雌部は第２テーパ部分の内周面とする。
【００２１】
また、その他の大径竿体としては、穂先側端部から竿元側に延びる竿元側ほど大径化する第１テーパ部分と、第１テーパ部分の竿元側に連続して第１テーパ部分より緩やかなテーパで竿元側ほど大径化する第２テーパ部分とを有するものを用いてもよい。そして、第１嵌合雌部は第１テーパ部分の内周面とする。
【００２２】
なお、大径竿体の嵌合リングは大径竿体の管状体に対して脱着自在としてもよい。嵌合リングを取り外すことで、大径竿体に組み合わされている小径竿体を大径竿体の竿元側から引き出し、大径竿体と小径竿体とを分解することもできる。
【発明の効果】
【００２３】
本発明の釣竿または竿体の連結構造を採用した釣竿では、釣竿全体の長さを調整しつつ状況に合わせて釣り操作を行うことができる。この際、元竿の長さにズーム長さが制約されることもない。
【発明を実施するための最良の形態】
【００２４】
［第１実施形態］
以下、本発明の第１実施形態について図面を参照しつつ説明する。
【００２５】
本発明の第１実施形態を採用した釣竿は、図１に示すように、元竿１と、元竿１の穂先側に順次振出形式で連結される、元上竿２及び穂先竿３とを有している。この釣竿はいわゆる船竿と呼ばれるものであり、各竿体を引き出して一本の長い釣竿とした際の全長はおよそ２０００〜４０００ｍｍ程度である。これら元竿１〜穂先竿３は炭素繊維またはガラス繊維等に合成樹脂を含浸させたプリプレグ素材から形成される先細り筒状部材である。
【００２６】
これらの竿体はいわゆる振出形式で連結されており、元上竿２及び穂先竿３は穂先側から順次竿元側の竿体の内部に挿入され出し入れ自在である。即ち、穂先竿３を元上竿２の穂先側に引き出した際には、穂先側に位置する穂先竿３の竿元側端部外周面と竿元側に位置する元上竿２の穂先側端部内周面とで相互に嵌着し、穂先側への抜け止め且つ相互の連結固定が可能となっている。また、元上竿２と元竿１とにあっては、後述のように、延伸状態，収納状態の何れの状態にあっても、相互に連結固定可能となっている。
【００２７】
元竿１は最も竿元側に配置される太径の筒状体である。軸方向中央付近の周面にリールを脱着自在に装着可能なリールシート４が配置され、竿元側端部には尻栓５が脱着自在に装着されている。また、穂先側端部外周面には固定ガイド６も装着されている。さらに、必要に応じて、リールシート４の穂先側の周面には弾性体からなるグリップが装着される。例えば、このグリップとリールシート付近を釣人は把持し、リールシートの竿元側の周面を脇に挟みこんで釣り操作を行う。
【００２８】
元上竿２の周面にもその穂先側端部外周面には固定ガイド６が装着される。この固定ガイド６の竿元側には、元上竿２の周面を軸方向にスライド移動可能なスライドガイド７が配置される。穂先竿３にあっては、その穂先側端部にトップガイド８が装着されており、トップガイド８の竿元側には、穂先竿３の周面を軸方向にスライド移動可能なスライドガイド７が配置される。
【００２９】
なお、この実施形態においては、竿体の本数を３本としているが、竿体の数は任意に設定するものであり、これに限定されるものではない。
【００３０】
次に、元竿１と元上竿２との連結構造について、詳しく説明する。図２及び図３に模式的に示すように、元竿１及び元上竿２はそれぞれ一定の先細りテーパが施された筒状体である。
【００３１】
この元竿１の竿元側端部には上述のように脱着自在に底栓５が装着されている。また、底栓５の穂先側に隣接して元竿１の内部にはストッパーリング９（第２嵌合雌部に相当）が配置されている。ストッパーリング９は軸方向に貫通する円筒型部材であり、内周面に径内方向に突出する複数の突起が周方向に間隔を隔てて軸方向に延びている。このストッパーリング９は元竿１の竿元側端部から挿入され、例えば、接着剤等で固定される。必要に応じて取り外し可能にしてもよい。そして、この突起に後述の元上竿２の嵌合雄部２ａが穂先側から挿入されて嵌着する（図３参照）。
【００３２】
また、元竿１の軸方向中央付近の内周面も、後述の元上竿２の嵌合雄部２ａが嵌着する部分であり、第１嵌合雌部１ａとなっている（図２参照）。第１嵌合雌部１ａは、他の部分より別途内径を小径化させてもよいが、元竿１のテーパと元上竿２の嵌合雄部の外径との関係によって、元竿１の所定の軸方向位置の内周面に嵌着し得るようにすれば足りる。この第１嵌合雌部１ａとストッパーリング９との軸方向距離が「ズーム長さ」に相当する。元竿１の軸方向長さが５００〜６００ｍｍ程度の場合、適当な「ズーム長さ」としては２５０〜３００ｍｍ程度である。
【００３３】
元上竿２も先細りテーパの施された筒状体である。竿元側端部に他の部分より大径化された嵌合雄部２ａが設定される。例えば、元上竿２の竿元側端部に別途補助プリプレグを巻回して焼成し、嵌合雄部２ａ部分を大径化させることができる。この嵌合雄部２２ａが元竿１の所定の部分に嵌着し得ることは既に説明したとおりである。
【００３４】
この釣竿では、穂先竿３から順次穂先側に引き出して一本の長い釣竿として用いられる。特に、元上竿２が元竿１の穂先側に引き出された延伸状態と、元上竿２が元竿１の内部に収納された収納状態とにおいて、この元上竿２と元竿１とは相互に連結固定可能であり、各状態における具体的態様は以下の通りである。
【００３５】
延伸状態においては、図２に示すように、元竿１の第１嵌合雌部１ａと元上竿２の嵌合雄部２ａとが相互に嵌着する。これらの嵌合部分が元上竿２の元竿１に対する抜け止めとなっているとともに、相互の竿体を連結固定する。一方、収納状態においては、図１に示すように、元竿１のストッパーリング９と元上竿２の嵌合雄部２ａが相互に嵌着する。そして、相互の竿体が連結固定される。
【００３６】
このように、延伸状態において、元上竿２の竿元側端部の嵌合雄部２ａが元竿１の軸方向中央付近に配置され、「ズーム長さ」は元竿１の長さに制限されない。よって、延伸状態及び収納状態の何れにおいても適度な釣竿の調子を維持できる。
【００３７】
［第２実施形態］
第１実施形態の変形例である釣竿の元竿２１と元上竿２２との連結構造を説明する。
【００３８】
図４及び図５に示すように、この元竿２１の竿元側端部には脱着自在に底栓５が装着されている。また、底栓５の穂先側に隣接して元竿１の内部にはストッパーリング９（第２嵌合雌部に相当）が配置されている。ストッパーリング９は上記第１実施形態と同様であり、説明を省略する。
【００３９】
また、元竿２１の穂先側端部内周面は、後述の元上竿２２の第１嵌合雄部２２ａが嵌着する部分であり、第１嵌合雌部２１ａとなっている（図４参照）。第１嵌合雌部２１ａは、他の部分より別途内径を小径化させてもよいが、元竿２１のテーパと元上竿２２の第１嵌合雄部２２ａの外径との関係によって、元竿１の穂先側内周面に第１嵌合雄部２２ａが嵌着し得るようにすれば足りる。
【００４０】
元上竿２２も先細りテーパの施された筒状体である。軸方向中央付近の周面に他の部分より大径化された第１嵌合雄部２２ａが形成されると共に、竿元側端部に他の部分より大径化された第２嵌合雄部２２ｂが設定される。これら第１嵌合雄部２２ａと第２嵌合雄部２２ｂとの軸方向距離が「ズーム長さ」に相当するが、その長さとしては２５０〜３００ｍｍ程度が好ましい。
【００４１】
これらの部分は、上記第１実施形態と同様に、元上竿２２の所定の周面に別途補助プリプレグを巻回して焼成し、これらの部分を大径化させることができる。この第１嵌合雄部２２ａの外径は、元竿２１の穂先側端部内径（第１款号雌部２１ａ）に合致するように設定される（図４参照）。第２嵌合雄部２２ｂの外径は、元竿２１のストッパーリング９の内径に合致するように設定される（図５参照）。
【００４２】
この釣竿でも、元上竿２２が元竿２１の穂先側に引き出された延伸状態と、元上竿２２が元竿２１の内部に収納された収納状態とにおいて、この元上竿２２と元竿２１とは相互に連結固定可能であり、各状態における具体的態様は以下の通りである。
【００４３】
延伸状態においては、図４に示すように、元竿２１の第１嵌合雌部２１ａと元上竿２２の第１嵌合雄部２２ａとが相互に嵌着する。これらの嵌合部分が元上竿２２の元竿２１に対する抜け止めとなっているとともに、相互の竿体を連結固定する。
一方、収納状態においては、元竿２１のストッパーリング９と元上竿２２の第２嵌合雄部２２ｂとが相互に嵌着する。そして、相互の竿体が連結固定される。
【００４４】
［第３実施形態］
以下、本発明の第３実施形態について図面を参照しつつ説明する。
【００４５】
本発明の第３実施形態を採用した釣竿は、図６に示すように、元竿３１と、元竿３１の穂先側に振出形式で連結される元上竿３２と、元上竿３２の穂先側に振出形式で連結される中竿３３と、さらにその穂先側に連結されるその余の竿体（図示せず）とから構成されている。これら元竿１等の各種竿体は炭素繊維またはガラス繊維等に合成樹脂を含浸させたプリプレグから形成される先細り筒状部材である。これらの竿体は振りだし形式で連結されるため、穂先側の竿体から順次竿元側の竿体の内部に挿入され出し入れ自在である。また、中竿３３などの竿体を穂先側に引き出した際には、隣接する竿体間において、穂先側に位置する竿体の竿元側端部外周面と竿元側に位置する竿体の穂先側端部内周面とが相互に嵌着し、穂先側への抜け止め且つ相互の連結固定が可能となっている。なお、元上竿３２と元竿３１にあっては、後述のように、延伸状態，収納状態の何れの状態にあっても、相互に連結固定可能である。
【００４６】
元竿３１の外周面にはリールＲを脱着自在に装着するためのリールシート３４が設けられている。また、竿元側端部には尻栓３５が脱着自在に装着されている。元上竿３２の穂先側の外周面にはリールＲからの釣糸を案内するための釣糸ガイド３６が装着されている。中竿３３などのその他の竿体の周面にも軸方向に間隔を隔てて複数の釣糸ガイド３６が軸方向にスライド移動自在且つ任意の軸方向位置に固定可能に装着されている。
【００４７】
次に、元竿３１と元上竿３２との連結構造について、詳しく説明する。
【００４８】
図７に模式的に示すように、元竿３１は一定の先細りテーパが施された筒状体である。詳しく述べれば、元竿３１は、穂先側端部から竿元側に延びる竿元側ほど大径化する第１テーパ部分Ｘと、第１テーパ部分Ｘの竿元側に連続して第１テーパ部分Ｘより緩やかなテーパで竿元側ほど大径化する第２テーパ部分Ｙとに区分できる。例えば、第１テーパ部分Ｘは2/1000〜6/1000程度のテーパ率である。第２テーパ部分Ｙは0.6/1000〜4/1000程度のテーパ率である。元竿３１の軸方向長さは釣竿の種類によって様々であるが、リールシート３４及びその竿元側の周面に釣人が把持するためのグリップ部分などを形成することを考慮すれば、元竿３１の軸方向長さは、例えば、５０〜７０cm程度とするのが好ましい。この元竿３１の竿元側端部内周面にはねじ溝が形成されており、ここに尻栓５が脱着自在に螺着している。尻栓３５の穂先側に隣接する元竿３１の内部にはストッパーリング３９が装着されている。このストッパーリング３９は、プラスチック等から形成されるリング状の部材であり、内周面には周方向に間隔を隔てて複数のリブが軸方向に延びて形成されている。このストッパーリング３９は任意の手法によって周方向及び軸方向に移動不能に元竿１に装着されるが、元竿１から取り外し可能とするのが好ましい。
【００４９】
また、後述のように元上竿３２との関係において、元竿３１の穂先側端部の第１テーパ部分Ｘの内周面と元竿１の軸方向中央付近の第２テーパ部分Ｙの内周面の一部が、それぞれ第１嵌合雌部３１ａと第２嵌合雌部３１ｂとになっている。
【００５０】
元上竿３２は一定の先細りテーパが施された筒状体である。元上竿３２の竿元側端部は他の部分より大径化しており、ここが第１嵌合雄部３２ａとなっている。また、第１嵌合雄部３２ａの穂先側の外周面には第２嵌合雄部３２ｂが、第２嵌合雄部３２ｂの穂先側の外周面には第３嵌合雄部３２ｃがそれぞれ形成されている。第１嵌合雄部３２ａ〜第３嵌合雄部３２ｃは、例えば、元上竿３２の筒状の部分を形成するプリプレグ素材をさらに積層して形成されている。即ち、部分的に補助用のプリプレグ素材を積層し、筒状の部分を形成するプリプレグ素材と共に一体的に焼成し、外周面を研磨等することで形成されている。
【００５１】
元上竿３２の軸方向長さは元竿３１の軸方向長さより長く、例えば、90〜130ｃｍ程度の長さである。第１嵌合雄部３２ａと第２嵌合雄部３２ｂとの間の距離が「延伸状態」と「収納状態」との長さの差（ズーム長さ）となるので、これを必要に応じて任意に設定する。例えば、船竿などであれば、ズーム長さを３０ｃｍ程度にするのが好ましいので、第１嵌合雄部３２ａと第２嵌合雄部３２ｂの距離を３０ｃｍとする。第３嵌合雄部３２ｃの軸方向位置は、元上竿３２を元竿３１に収納した「収納状態」を考慮して設定する（図７（ｂ）参照）。
【００５２】
元上竿３２の第１嵌合雄部３２ａの外径はストッパーリング３６及び第２嵌合雌部３１ｂの内径に合わせて調整する。第１嵌合雄部３２ａはこれらの両部分に嵌着可能とする。他方、第２嵌合雄部３２ｂ及び第３嵌合雄部３２ｃの外径は第１嵌合雌部３１ａの内径に合わせて調整する。この実施形態では、第１嵌合雌部３１ａが第１テーパ部分Ｘの内周面となっているので、第２嵌合雄部３２ｂ及び第３嵌合雄部３２ｃの外径はこれに合わせたテーパ面としても良いが、第１テーパ部分Ｘの何れかの部分に嵌着するようにすれば足りる。
【００５３】
このような釣竿においては、釣人は各種竿体を順次穂先側に引き出して一本の長い釣竿として釣りをおこなうと共に、釣りを終えた後には、各種竿体を順次竿元側の竿体内に収納して短くコンパクトな状態にすることができる。特に、元上竿３２と元竿３１とにおいては、元竿３１の穂先側に元上竿３２をその穂先側に引き出した延伸状態（図７（ａ））と、元竿３１の内部に元上竿３２の竿元側の一部が収納された収納状態（図７（ｂ））との何れの状態においても、相互に連結固定可能である。
【００５４】
即ち、図３２（ａ）に示すように、延伸状態においては、第２嵌合雄部３２ｂが第１嵌合雌部３１ａに嵌着すると共に、第１嵌合雄部３２ａが第２嵌合雌部３１ｂに嵌着する。この際、第２嵌合雄部３２ｂと第１嵌合雌部３１ａとの嵌着は緩やかなものとして「がた止め」程度のものとしてもよい。この場合には、第１嵌合雄部３２ａと第２嵌合雌部３１ｂとで十分な連結固定力を演出する。
【００５５】
他方、図７（ｂ）に示すように、収納状態においては、第３嵌合雄部３２ｃが第１嵌合雌部３１ａに嵌着すると共に、第１嵌合雄部３２ａがストッパーリング３６の内部に挿入されて嵌着する。この際、第３嵌合雄部３２ｃと第１嵌合雌部３１ａとの嵌着は緩やかなものとして「がた止め」程度のものとしてもよい。この場合には、第１嵌合雄部３２ａとストッパーリング３９とで十分な連結固定力を演出する。
【００５６】
このように元上竿３２と元竿３１とを振出形式に連結し、それぞれの竿体の個々の嵌合雄部若しくは嵌合雌部等の間の軸方向距離を任意に調整することで、ズーム長さを任意に設定し、その設計の自由度が高めることができる。これにより、種々の釣竿の種類の特性におうじで好ましい釣竿の調子を演出し、または操作性を高めることも可能となる。
【００５７】
［第４実施形態］
以下、本発明の第４実施形態について図面を参照しつつ説明する。
【００５８】
本発明の第４実施形態を採用した釣竿の元竿４１と元上竿４２との連結構造について、詳しく説明する。
【００５９】
図８に模式的に示すように、元竿４１は一定の先細りテーパが施された筒状体である。詳しく述べれば、元竿４１は、穂先側端部から竿元側に延びる竿元側ほど大径化する第１テーパ部分Ｘと、第１テーパ部分Ｘの竿元側に連続して第１テーパ部分Ｘより急なテーパで竿元側ほど大径化する第２テーパ部分Ｙと、さらに第２テーパ部分Ｘの竿元側に連続して第２テーパ部分Ｙより緩やかなテーパで竿元側ほど大径化する第３テーパ部分Ｚとに区分できる。例えば、第１テーパ部分Ｘは0/1000〜0.5/1000程度の非常に緩やかなテーパ率であり、第２テーパ部分Ｙは2.5/1000〜4/1000程度のテーパ率であり、さらに、第３テーパ部分Ｚは0.6/1000〜4/1000程度のテーパ率である。第３実施形態と同様に、元竿４１の軸方向長さは釣竿の種類によって様々であるが、例えば、５０〜７０cm程度とするのが好ましい。この元竿４１の竿元側端部内周面にはねじ溝が形成されており、ここに尻栓４５が脱着自在に螺着している点も第３実施形態と同様である。また、尻栓４５の穂先側に隣接する元竿４１の内部にはストッパーリング４９が装着されている。このストッパーリング４９も第３実施形態と同様のものである。
【００６０】
また、後述のように元上竿４２との関係において、元竿４１の穂先側端部の第１テーパ部分Ｘの穂先側の内周面と元竿４１の第２テーパ部分Ｙの内周面が、それぞれ第１嵌合雌部４１ａと第２嵌合雌部４１ｂとになっている。
【００６１】
元上竿４２は一定の先細りテーパが施された筒状体である。第３実施形態と同様に、元上竿４２の竿元側端部は他の部分より大径化しており、ここが第１嵌合雄部４２ａとなっている。また、第１嵌合雄部４２ａの穂先側の外周面には第２嵌合雄部４２ｂが、第２嵌合雄部４２ｂの穂先側の外周面には第３嵌合雄部４２ｃがそれぞれ形成されている。
【００６２】
元上竿４２の軸方向長さは元竿４１の軸方向長さより長く、例えば、120ｃｍ程度の長さである。第１嵌合雄部４２ａと第２嵌合雄部４２ｂとの間の距離が「延伸状態」と「収納状態」との長さの差（ズーム長さ）となるので、第３実施形態と同様に、これを必要に応じて任意に設定する。
【００６３】
元上竿４２の第１嵌合雄部４２ａの外径はストッパーリング４９及び第２嵌合雌部４１ｂの内径に合わせて調整する。特に、この釣竿では元竿４１の第２嵌合雌部４１ｂが第２テーパ部分Ｙのテーパ面となっているので、第１嵌合雄部４２ａもこれに合わせて調整する必要がある。例えば、第１嵌合雄部４２ａを穂先側のテーパ面部分と竿元側の非テーパ面部分とに区分し、前者のテーパ面部分を第２嵌合雌部４１ｂにあわせて、また、竿元側の非テーパ面部分をストッパーリング４９の内径にあわせて調整し（図８参照）、第１嵌合雄部４２ａはこれらの両部分に嵌着可能としてもよい。他方、第２嵌合雄部４２ｂ及び第３嵌合雄部４２ｃの外径は第１嵌合雌部４１ａの内径に合わせて調整する。
【００６４】
このような釣竿においては、釣人は各種竿体を順次穂先側に引き出して一本の長い釣竿として釣りをおこなうと共に、釣りを終えた後には、各種竿体を順次竿元側の竿体内に収納して短くコンパクトな状態にすることができる。特に、元上竿４２と元竿４１とにおいては、元竿４１の穂先側に元上竿４２をその穂先側に引き出した延伸状態（図８（ａ））と、元竿４１の内部に元上竿４２の竿元側の一部が収納された収納状態（図８（ｂ））との何れの状態においても、相互に連結固定可能である。
【００６５】
即ち、図８（ａ）に示すように、延伸状態においては、第２嵌合雄部４２ｂが第１嵌合雌部４１ａに嵌着すると共に、第１嵌合雄部４２ａが第２嵌合雌部４１ｂに嵌着する。この際、第２嵌合雄部４２ｂと第１嵌合雌部４１ａとの嵌着は緩やかなものとして「がた止め」程度のものとしてもよい。この場合には、第１嵌合雄部４２ａと第２嵌合雌部４１ｂとで十分な連結固定力を演出する。
【００６６】
他方、図８（ｂ）に示すように、収納状態においては、第３嵌合雄部４２ｃが第１嵌合雌部４１ａに嵌着すると共に、第１嵌合雄部４２ａがストッパーリング４９の内部に挿入されて嵌着する。この際、第３嵌合雄部４２ｃと第１嵌合雌部４１ａとの嵌着は緩やかなものとして「がた止め」程度のものとしてもよい。この場合には、第１嵌合雄部４２ａとストッパーリング４６とで十分な連結固定力を演出する。
【００６７】
［第５実施形態］
本発明の第５実施形態を採用した釣竿の元竿５１と元上竿５２との連結構造について、詳しく説明する。
【００６８】
図９に模式的に示すように、元竿５１は一定の先細りテーパが施された筒状体である。詳しく述べれば、元竿５１は、穂先側端部から竿元側に延びる軸方向において径が変化せず若しくは殆ど変化しない第１テーパ部分Ｘと、第１テーパ部分Ｘの竿元側に連続して第１テーパ部分Ｘより急なテーパで竿元側ほど大径化する第２テーパ部分Ｙと、さらに第２テーパ部分Ｘの竿元側に連続して第２テーパ部分Ｙより急なテーパで竿元側ほど大径化する第３テーパ部分Ｚとに区分できる。例えば、第１テーパ部分Ｘは0/1000〜0.5/1000程度のテーパ率であり、第２テーパ部分Ｙは0.6/1000〜4.8/1000程度のテーパ率であり、さらに、第３テーパ部分Ｚは2.5/1000〜4/1000程度のテーパ率である。第３実施形態と同様に、元竿５１の軸方向長さは釣竿の種類によって様々であるが、例えば、５０〜７０cm程度とするのが好ましい。この元竿５１の竿元側端部内周面にはねじ溝が形成されており、ここに尻栓５５が脱着自在に螺着している点も第３実施形態と同様である。また、尻栓５５の穂先側に隣接する元竿５１の内部にはストッパーリング５９が装着されている。このストッパーリング５９も第３実施形態と同様のものである。
【００６９】
また、元上竿５２との関係において、元竿５１の穂先側端部の第１テーパ部分Ｘの穂先側の内周面と元竿５１の第３テーパ部分Ｚの穂先側の内周面が、それぞれ第１嵌合雌部５１ａと第２嵌合雌部５１ｂとになっている。
【００７０】
元上竿５２は一定の先細りテーパが施された筒状体である。第３実施形態と同様に、元上竿５２の竿元側端部は他の部分より大径化しており、ここが第１嵌合雄部５２ａとなっている。また、第１嵌合雄部５２ａの穂先側の外周面には第２嵌合雄部５２ｂが、第２嵌合雄部５２ｂの穂先側の外周面には第３嵌合雄部（図示せず）がそれぞれ形成されている点は、上記第４実施形態と同様である。
【００７１】
その他の構成は第４実施形態と同様であり、説明を省略する。
【００７２】
このような釣竿においては、釣人は各種竿体を順次穂先側に引き出して一本の長い釣竿として釣りをおこなうと共に、釣りを終えた後には、各種竿体を順次竿元側の竿体内に収納して短くコンパクトな状態にすることができる。特に、元上竿５２と元竿５１とにおいては、元竿５１の穂先側に元上竿５２をその穂先側に引き出した延伸状態と、元竿５１の内部に元上竿５２の竿元側の一部が収納された収納状態との何れの状態においても、相互に連結固定可能である。
【００７３】
即ち、延伸状態においては、第２嵌合雄部５２ｂが第１嵌合雌部５１ａに嵌着すると共に、第１嵌合雄部５２ａが第２嵌合雌部５１ｂに嵌着する。この際、第２嵌合雄部５２ｂと第１嵌合雌部４１ａ（この部分の径の変化は殆どない）との嵌着は緩やかなものとして「がた止め」程度のものである。
【００７４】
他方、収納状態においては、第３嵌合雄部が第１嵌合雌部５１ａに嵌着すると共に、第１嵌合雄部５２ａがストッパーリング５９の内部に挿入されて嵌着する。この際、第３嵌合雄部と第１嵌合雌部５１ａとの嵌着は緩やかなものとして「がた止め」程度のものとしてもよい。この場合には、第１嵌合雄部５２ａとストッパーリング５９とで十分な連結固定力を演出する。
【図面の簡単な説明】
【００７５】
【図１】本発明の第１実施形態を採用した釣竿の全体図。
【図２】図１の元竿１と元上竿２との延伸状態を模式的に示した図。
【図３】図１の元竿１と元上竿２との収納状態を模式的に示した図。
【図４】本発明の第２実施形態を採用した釣竿の元竿２１と元上竿２２との延伸状態を示した図。
【図５】図４の元竿２１と元上竿２２との収納状態を示した図。
【図６】本発明の第３実施形態を採用した釣竿の全体図。
【図７】図６の元竿３１と元上竿３２とを示した図。
【図８】本発明の第４実施形態を採用した釣竿の図２に相当する図。
【図９】本発明の第５実施形態を採用した釣竿の元竿５１と元上竿５２とを示した図。
【符号の説明】
【００７６】
１，２１，３１，４１，５１  元竿
２，２２，３２，４２，５２  元上竿
１ａ，２１ａ  第１嵌合雌部
９，３９，４９  ストッパーリング
２ａ  嵌合雄部
２２ａ  第１嵌合雄部
２２ｂ  第２嵌合雄部
３１ａ，４１ａ  第１嵌合雌部
３１ｂ，４１ｂ  第２嵌合雌部
３２ａ，４２ａ  第１嵌合雄部
３２ｂ，４２ｂ  第２嵌合雄部
３２ｃ，４２ｃ  第３嵌合雄部
【図１】
2004173682.tif 000003
【図２】
2004173682.tif 000004
【図３】
2004173682.tif 000005
【図４】
2004173682.tif 000006
【図５】
2004173682.tif 000007
【図６】
2004173682.tif 000008
【図７】
2004173682.tif 000009
【図８】
2004173682.tif 000010
【図９】
2004173682.tif 000011